(57)【要約】【課題】製品の機能をユーザに十分説明することができる表示装置、表示方法、プログラムおよび記録媒体を提供する。【解決手段】本発明に係る表示装置１００は、自装置の機能をそれぞれ表し、互いに表示形態が異なる複数の説明情報を取得するサブコンテンツ取得部１と、上記複数の説明情報を表示する際の表示手順を決定する表示手順決定部７と、決定された上記表示手順に従い、上記複数の説明情報を表示する映像出力部９とを備えている。したがって、表示装置を視聴するユーザに対して、自装置の様々な機能を効果的にデモを行なうことが可能であり、製品の機能をユーザに十分説明することができる。【選択図】図１
2010258909.tif 000002
【特許請求の範囲】
【請求項１】
自装置の機能をそれぞれ表し、互いに表示形態が異なる複数の説明情報を取得する取得手段と、
上記複数の説明情報を表示する際の表示手順を決定する決定手段と、
決定された上記表示手順に従い、上記複数の説明情報を表示する表示手段とを備えていることを特徴とする表示装置。
【請求項２】
上記複数の説明情報を記憶する記憶手段をさらに備え、
上記取得手段は、上記記憶手段に記憶された上記複数の説明情報を取得することを特徴とする請求項１に記載の表示装置。
【請求項３】
外部機器と接続する接続手段をさらに備え、
上記取得手段は、上記接続手段により接続された上記外部機器から、上記複数の説明情報を取得することを特徴とする請求項１または２に記載の表示装置。
【請求項４】
上記取得手段は、上記外部機器から上記表示手順を示す情報を取得し、
上記決定手段は、取得された上記表示手順を示す情報に基づき、上記表示手順を決定することを特徴とする請求項３に記載の表示装置。
【請求項５】
表示コンテンツを取得するコンテンツ取得手段をさらに備え、
上記表示手段は、上記表示コンテンツおよび上記複数の説明情報を組み合わせて表示することを特徴とする請求項１〜４のいずれか１項に記載の表示装置。
【請求項６】
自装置における動作モードを切り換える切換手段をさらに備え、
上記表示手段は、上記表示コンテンツおよび上記複数の説明情報を上記動作モードに応じた形態で表示することを特徴とする請求項５に記載の表示装置。
【請求項７】
上記切換手段は、少なくとも自装置を個別に認識する暗号化された情報が格納された記録媒体から読み出した、上記暗号化された情報に基づき、上記動作モードを切り換えることを特徴とする請求項６に記載の表示装置。
【請求項８】
上記記録媒体は、自装置に挿入されたＢ−ＣＡＳカードであり、上記切換手段は、上記Ｂ−ＣＡＳカードの種類に基づき、上記動作モードを切り換えることを特徴とする請求項７に記載の表示装置。
【請求項９】
上記複数の説明情報は音声信号を含み、上記音声信号を出力する音声出力手段をさらに備えていることを特徴とする請求項１〜８のいずれか１項に記載の表示装置。
【請求項１０】
上記表示手段は、上記複数の説明情報を液晶ディスプレイ、プラズマディスプレイまたはＥＬ（エレクトロルミネセンス）ディスプレイに表示させることを特徴とする請求項１〜９のいずれか１項に記載の表示装置。
【請求項１１】
放送波を受信する放送波受信手段をさらに備え、
上記表示手段は、受信された上記放送波から取得された表示コンテンツを表示することを特徴とする請求項１〜１０のいずれか１項に記載の表示装置。
【請求項１２】
上記表示手段は、上記放送波から取得された上記表示コンテンツ、および上記説明情報を組み合わせて表示することを特徴とする請求項１１に記載の表示装置。
【請求項１３】
自装置の機能をそれぞれ表し、互いに表示形態が異なる複数の説明情報を取得する取得ステップと、
上記複数の説明情報を表示する際の表示手順を決定する決定ステップと、
決定された上記表示手順に従い、上記複数の説明情報を表示する表示ステップとを備えていることを特徴とする表示方法。
【請求項１４】
請求項１〜１２のいずれか１項に記載の表示装置を動作させるプログラムであって、コンピュータを上記の各手段として機能させるためのプログラム。
【請求項１５】
請求項１４に記載のプログラムを記録しているコンピュータ読み取り可能な記録媒体。
【発明の詳細な説明】
【技術分野】
【０００１】
本発明は、自装置の機能に関する説明情報を表示する表示装置、当該説明情報を表示する方法、プログラムおよび記録媒体に関する。
【背景技術】
【０００２】
近年、薄型デジタルテレビの市場では、たとえば大画面化、高機能化またはネットワーク化など、多種多様な機能が搭載されたテレビが主流である。ユーザはテレビに搭載された機能を確認する際に、製品のカタログ、または製品に付加されている特徴ラベルを見ながら比較している。
【０００３】
しかしながら、たとえば製品のカタログが無い場合、または製品から特徴ラベルが剥がされてしまった場合、ユーザは製品の特徴を調べることができない。また、新規製品が出た場合などには、旧型の製品のカタログまたは特徴ラベルは不要であるため、廃棄されることになる。これは、環境への負荷という点で問題である。
【０００４】
さらに、デジタルテレビまたはＢＤ（Blu-ray Disc（登録商標））レコーダーなどのＡＶ機器の機能は複雑化しており、特に、省エネモードなど表示に関わらない機能またはネット接続などの説明は難しく、店頭でユーザが様々な機能を把握することは難しい。
【０００５】
また、各社とも短期間での製品開発競争の激化の中、販売の前に研修等を行なって、販売店の販売員に新規製品の販売知識を習得させている。しかしながら、販売員が次々に開発される新規製品の特徴をすべて理解し、たとえば店頭でユーザに対して的確に説明することは難しく、そのためのプロモーション費用等も膨大になってきている。このような事情から、費用および効果を大幅に改善できるプロモーションの仕組みが求められるようになってきた。
【０００６】
そこで、自装置が有する様々な機能を視覚的に説明することが可能であれば、ユーザが当該機能を把握するのに効果的である。そのため、これまでに製品の特徴紹介を行なうデモ機能を製品に搭載する技術が考えられている。
【０００７】
たとえば特許文献１には、電気店の店頭において多くの人が見るテレビ画面に、テレビ放送とは異なる映像、商品の紹介、または企業の宣伝広告などを独立して配信することにより、宣伝広告の場として有効なシステムを提供する技術が記載されている。この技術では、映像配信をコントロールするサーバからの指令によって、テレビ放送とインターネット配信とを自動的に切り換えることによって、指定した時間に店頭のテレビ画面に企業の宣伝広告などの映像を配信する。
【０００８】
特許文献２には、デモンストレーション機能スイッチがオン作動しているとき、人体動作検出部が検出エリアの状態が変化したことを検出するとデモンストレーション機能を所定時間動作させる技術が記載されている。
【０００９】
特許文献３には、製品に挿入された店頭用の限定受信システム（ＣＡＳ）カードを判別し、自動的に店頭展示に適した画質および音質の設定、または店頭展示用のデモの実施などを行なうことが記載されている。
【００１０】
特許文献４には、デモンストレーションモード設定画面において、デモンストレーションモードを有効にするか否か、また当該モードを有効にする場合、いずれの機能のデモンストレーションを行なうかを利用者に選択させる技術が記載されている。
【００１１】
また、特許文献５には、デモンストレーション画像の表示中にユーザの操作を受けつけ、当該操作に応じたデモンストレーションを行なう技術が記載されている。
【先行技術文献】
【特許文献】
【００１２】
【特許文献１】特開２００７−１７４６１１号公報（２００７年７月５日）
【特許文献２】特開２００８−２９４６９７号公報（２００８年１２月４日公開）
【特許文献３】特開２００７−２８８４３２号公報（２００７年１１月１日）
【特許文献４】特開２００７−８１６００号公報（２００７年３月２９日公開）
【特許文献５】特開２００７−２２５９０９号公報（２００７年９月６日公開）
【発明の概要】
【発明が解決しようとする課題】
【００１３】
上述した従来技術では、製品の機能をユーザに説明するのに十分ではない。
【００１４】
たとえば特許文献１の技術では、テレビ画面に表示している映像をテレビ放送の画面と、インターネットから取得した宣伝広告用の画面とを切り換えて表示する一般的な内容にとどまるものである。また、特許文献２の技術は、人体の有無を検出し、デモンストレーション機能のオンとオフとを切り換える内容にとどまるものである。また、特許文献３の技術は、店頭展示に適した画質および音質の設定、ならびに店頭展示用のデモなど、一般的な内容を表示するものである。
【００１５】
なお、特許文献４または５に記載のデモンストレーションの方法でも、製品の機能をユーザに説明するのに十分ではない。
【００１６】
本発明は、上記の課題に鑑みてなされたものであり、その目的は、製品の機能をユーザに十分説明することができる表示装置、表示方法、プログラムおよび記録媒体を提供することにある。
【課題を解決するための手段】
【００１７】
本発明に係る表示装置は、上記の課題を解決するために、自装置の機能をそれぞれ表し、互いに表示形態が異なる複数の説明情報を取得する取得手段と、上記複数の説明情報を表示する際の表示手順を決定する決定手段と、決定された上記表示手順に従い、上記複数の説明情報を表示する表示手段とを備えていることを特徴としている。
【００１８】
上記の構成によれば、本発明に係る表示装置は、自装置の機能を表す説明情報を表示する表示装置である。具体的には、自装置の機能をそれぞれ表し、互いに表示形態が異なる複数の説明情報を取得し、取得した複数の説明情報を表示手順に従って、連続的に表示する。
【００１９】
本明細書において「説明情報」とは、自装置の機能を説明するための情報が意図される。説明情報は、たとえば静止画像、映像または文字により表示されればよいが、これに限定されるものではなく、たとえば音声出力されてもよい。
【００２０】
また、たとえば本発明に係る表示装置が外部の機器と接続されている場合、取得手段は表示装置に内蔵されている説明情報以外の説明情報を取得することができる。したがって、より多くの情報をユーザに提供することができる。
【００２１】
さらに、本発明に係る表示装置では、取得された複数の説明情報を表示するとき、表示手段は、これらの説明情報を表示する順序または期間などが指定された表示手順に従って表示する。
【００２２】
このように、本発明に係る表示装置では、ある特定の機能を表す説明情報を繰り返し表示するのではなく、複数の異なる機能を表す説明情報を連続的に表示する。さらに、複数の機能ごとに、異なる形態で表示することもできる。
【００２３】
したがって、表示装置を視聴するユーザに対して、自装置の様々な機能を効果的にデモを行なうことが可能であり、製品の機能をユーザに十分説明することができる。
【００２４】
また、本発明に係る表示装置は、上記複数の説明情報を記憶する記憶手段をさらに備え、上記取得手段は、上記記憶手段に記憶された上記複数の説明情報を取得することが好ましい。
【００２５】
上記の構成によれば、本発明に係る表示装置では、自装置の機能を表す複数の説明情報を記憶する記憶手段を備えている。このため、取得手段は表示手順に従って、記憶手段に記憶されている説明情報の中から、表示手段によって表示される説明情報を取得する。
【００２６】
また、本発明に係る表示装置は、外部機器と接続する接続手段をさらに備え、上記取得手段は、上記接続手段により接続された上記外部機器から、上記複数の説明情報を取得することが好ましい。
【００２７】
上記の構成によれば、本発明に係る表示装置は外部機器と接続するための接続手段を備えており、接続手段によって接続された外部機器から説明情報を取得する。たとえば、表示手順に外部機器から取得される説明情報を表示するという指示が記されていることがある。この場合、まず接続手段が外部機器と接続されているかを確認し、外部機器と接続されている場合に、取得手段が当該外部機器から説明情報を取得する。
【００２８】
したがって、予め自装置に記憶されている説明情報以外にも、外部機器から多種多様な情報を取得し、ユーザに提供することができる。
【００２９】
また、本発明に係る表示装置は、表示コンテンツを取得するコンテンツ取得手段をさらに備え、上記表示手段は、上記表示コンテンツおよび上記複数の説明情報を組み合わせて表示することが好ましい。
【００３０】
上記の構成によれば、本発明に係る表示装置は、表示コンテンツを取得するコンテンツ取得手段をさらに備えている。また、表示手段は取得された表示コンテンツおよび説明情報を組み合わせて表示する。これにより、ユーザは表示コンテンツを視聴しながら、説明情報によって表される表示装置の機能の説明を見ることができる。
【００３１】
また、本発明に係る表示装置において、上記取得手段は、上記外部機器から上記表示手順を示す情報を取得し、上記決定手段は、取得された上記表示手順を示す情報に基づき、上記表示手順を決定することが好ましい。
【００３２】
上記の構成によれば、取得手段は外部機器から表示手順を示す情報、すなわちシナリオを取得し、決定手段はこのシナリオに基づいて表示手順を決定する。これにより、自装置に内蔵されているシナリオを変更することなく、別のシナリオに示される表示手順に従い、複数の説明情報を表示することができる。
【００３３】
また、本発明に係る表示装置は、自装置における動作モードを切り換える切換手段をさらに備え、上記表示手段は、上記表示コンテンツおよび上記複数の説明情報を上記動作モードに応じた形態で表示することが好ましい。
【００３４】
上記の構成によれば、切換手段は、表示装置における動作モードを切り換えており、表示手段は、当該動作モードに応じた形態で複数の説明情報を表示する。たとえば動作モードがデモを行なわない「通常モード」に設定されているとき、切換手段によってデモを実行する「デモモード」に切り換える。これにより、デモが開始される。
【００３５】
なお、動作モードの切り換えは、たとえばユーザによる設定入力、またはＢ−ＣＡＳカード等の種類に基づき、動作モードを切り換えてもよい。このように、使用者のニーズに合った表示をすることができる。
【００３６】
また、本発明に係る表示装置において、上記切換手段は、少なくとも自装置を個別に認識する暗号化された情報が格納された記録媒体から読み出した、上記暗号化された情報に基づき、上記動作モードを切り換えることが好ましい。
【００３７】
さらに、本発明に係る表示装置において、上記記録媒体は、自装置に挿入されたＢ−ＣＡＳカードであり、上記切換手段は、上記Ｂ−ＣＡＳカードの種類に基づき、上記動作モードを切り換えることが好ましい。
【００３８】
上記の構成によれば、本発明に係る表示装置では、自装置を認識する記録媒体に記録された情報に基づき、動作モードを切り換える。この記録媒体として、たとえばＢ−ＣＡＳカードを用いた場合、店頭展示用のＢ−ＣＡＳカード、家庭用のＢ−ＣＡＳカードまたは業務用のＢ−ＣＡＳカード等、用途に応じて、説明情報を表示することができる。
【００３９】
また、本発明に係る表示装置において、上記複数の説明情報は音声信号を含み、上記音声信号を出力する音声出力手段をさらに備えていることが好ましい。
【００４０】
上記の構成によれば、表示装置において取得される説明情報は、画像信号の他に音声信号を含んでいてもよい。したがって、自装置の機能を表す説明情報を視覚的だけでなく、音声としても出力することができるので、ユーザに対してより効果的に表示装置の機能を紹介することができる。
【００４１】
また、本発明に係る表示装置において、上記表示手段は、上記複数の説明情報を液晶ディスプレイ、プラズマディスプレイまたはＥＬ（エレクトロルミネセンス）ディスプレイに表示させることが好ましい。
【００４２】
このように、複数の説明情報を液晶ディスプレイ、プラズマディスプレイまたはＥＬディスプレイ等の薄型表示ディスプレイに表示させることによって、ユーザに対して効果的に自装置の機能の説明を提供することができる。
【００４３】
また、本発明に係る表示装置は、放送波を受信する放送波受信手段をさらに備え、上記表示手段は、受信された上記放送波から取得された表示コンテンツを表示することが好ましい。さらに、本発明に係る表示装置において、上記表示手段は、上記放送波から取得された上記表示コンテンツ、および上記説明情報を組み合わせて表示することが好ましい。
【００４４】
上記の構成によれば、本発明に係る表示装置は放送波から表示コンテンツを取得する。ここで、本明細書において表示コンテンツは、たとえばテレビ番組である。
【００４５】
また、表示装置では、放送波から取得したテレビ番組と、自装置の機能を表す複数の説明情報とを組み合わせて表示する。したがって、ユーザがたとえばテレビ番組を視聴しながら、説明情報を見ることができる。
【００４６】
本発明に係る表示方法は、上記の課題を解決するために、自装置の機能をそれぞれ表し、互いに表示形態が異なる複数の説明情報を取得する取得ステップと、上記複数の説明情報を表示する際の表示手順を決定する決定ステップと、決定された上記表示手順に従い、上記複数の説明情報を表示する表示ステップとを備えていることを特徴としている。
【００４７】
上記の構成によれば、自装置の機能をそれぞれ表し、互いに表示形態が異なる複数の説明情報を取得し、取得した情報を表示手順に従って表示する。したがって、表示装置を視聴するユーザに対して、自装置の様々な機能を効果的にデモを行なうことができる。
【００４８】
（プログラムおよび記録媒体）
なお、本発明に係る表示装置は、コンピュータによって実現してもよい。この場合、コンピュータを上記各手段として動作させることにより表示装置をコンピュータにおいて実現するプログラム、およびそのプログラムを記録したコンピュータ読み取り可能な記録媒体も、本発明の範疇に入る。
【発明の効果】
【００４９】
本発明は、自装置の機能をそれぞれ表し、互いに表示形態が異なる複数の説明情報を取得する取得手段と、上記複数の説明情報を表示する際の表示手順を決定する決定手段と、決定された上記表示手順に従い、上記複数の説明情報を表示する表示手段とを備えている。したがって、製品の機能をユーザに十分説明することができる。
【図面の簡単な説明】
【００５０】
【図１】本発明の一実施形態に係る表示装置の概略構成を示すブロック図である。
【図２】本発明の一実施形態に係る表示装置における一連のデモ表示の流れを示す説明図であり、図２の（ａ）は、表示コンテンツおよび説明情報を組み合わせて表示した場合を示し、図２の（ｂ）は、図２の（ａ）とは別の説明情報を表示した場合を示し、図２の（ｃ）は、２つの異なる説明情報を表示した場合を示し、図２の（ｄ）は、表示コンテンツのみを表示した場合を示す。
【図３】本発明の一実施形態に係る表示装置のサブコンテンツ記憶部または外部機器からの説明情報の取得を示す説明図である。
【図４】本発明の一実施形態に係る表示装置において使用するシナリオの一例を示す図である。
【図５】図４に示す表示手順を時間軸に沿って示す図であり、図５の（ａ）は外部機器と接続されている場合のデモンストレーションの流れを示し、図５の（ｂ）は外部機器と接続されていない場合のデモンストレーションの流れを示す。
【図６】本発明の一実施形態に係る表示装置におけるデモ実行フローを示すフローチャートである。
【図７】メインコンテンツおよびサブコンテンツを動作モードに応じた形態で示す説明図である。
【図８】メインコンテンツおよびサブコンテンツを時間軸に沿って動作モードに応じた形態で示す説明図である。
【図９】本発明の一実施形態に係る表示装置におけるデモモード時の表示画面を示す図である。
【図１０】図９に示す表示画面からチャンネルを切り換えたときの様子を示す図であり、図１０の（ａ）はチャンネル切り換え時にサブコンテンツの表示を一時停止させたところを示し、図１０の（ｂ）はチャンネル切り換え時にサブコンテンツの表示を継続させたところを示す。
【図１１】メインコンテンツおよびサブコンテンツの音量を時間軸に沿って動作モードに応じた形態で示す説明図である。
【図１２】本発明の一実施形態に係る複数の表示装置を接続して、デモを連動表示させるところを示す図である。
【発明を実施するための形態】
【００５１】
本発明に係る表示装置１００の一実施形態について図１〜図１２に基づいて説明すると以下の通りである。
【００５２】
（表示装置１００の概略構成）
図１は、本発明の一実施形態に係る表示装置１００の概略構成を示すブロック図である。図１に示すように、表示装置１００は、サブコンテンツ取得部（取得手段）１、サブコンテンツ記憶部（記憶手段）２、外部機器接続部（接続手段）３、外部機器接続判定部４、メインコンテンツ取得部（コンテンツ取得手段）５、映像音声分離部６、表示手順決定部（決定手段）７、映像合成処理部８、映像出力部（表示手段）９、音声処理部１０、音声出力部（音声出力手段）１１、制御部１２、モード切換部（切換手段）１３、タイマー部１４およびタイマー校正部１５を備えている。
【００５３】
表示装置１００は、自装置の機能を表す説明情報を表示する表示装置である。具体的には、自装置の機能をそれぞれ表し、互いに表示形態が異なる複数の説明情報を取得し、取得した複数の説明情報を表示手順に従って、連続的に表示する。
【００５４】
本明細書において「説明情報」とは、自装置の機能を説明するため、すなわちデモンストレーション（以下、単に「デモ」とも言う）するための情報が意図される。説明情報は、たとえば静止画像、映像または文字により表示されればよいが、これに限定されるものではなく、たとえば音声出力されてもよい。
【００５５】
説明情報の具体例としては、たとえば表示装置１００の性能を表す情報、表示装置１００における各種設定方法を表す情報、および表示装置１００と外部機器２００との接続方法を表す情報などが挙げられる。
【００５６】
なお、本実施形態に係る表示装置１００は、外部機器２００と接続することができる。このため、表示装置１００において表示される説明情報には、外部機器２００から取得される情報を含んでもよい。外部機器２００から取得される情報としては、たとえば表示装置１００の固有機能をより詳細に表す情報、表示装置１００に関する技術の最新情報、および外部機器２００に関する情報が挙げられる。
【００５７】
また、表示装置１００では、取得した説明情報を表示手順に従って表示する。
【００５８】
本明細書において「表示手順」とは、取得された複数の説明情報を表示するとき、これらの説明情報を表示する順序または期間などを指定した手順が意図される。
【００５９】
つまり表示手順は、たとえば後述する表示装置１００における動作モードが、デモを実行する「デモモード」に設定されたとき、どのように説明情報を表示するかを指定している。なお、表示装置１００において用いられる表示手順を記したプログラムは、１種類であっても複数種類であってもよい。以下、このプログラムを「シナリオ」と称することもある。
【００６０】
このように、表示装置１００では、ある特定の機能を表す説明情報を繰り返し表示するのではなく、表示手順に従って、複数の異なる説明情報を表示する。さらに、複数の機能ごとに、異なる形態で表示することもできる。
【００６１】
したがって、表示装置１００を視聴するユーザに対して、自装置の様々な機能を効果的にデモを行なうことが可能であり、製品の機能をユーザに十分説明することができる。
【００６２】
次に、本実施形態に係る表示装置１００の各構成について、以下に説明する。
【００６３】
（表示装置１００の各構成）
サブコンテンツ取得部１は、表示装置１００の機能を表す説明情報を取得する。具体的には、サブコンテンツ取得部１はサブコンテンツ記憶部２または外部機器２００から説明情報を取得する。
【００６４】
なお、本明細書において「説明情報」という用語は、後述するメインコンテンツ取得部５により取得されるメインコンテンツと区別するために、「サブコンテンツ」と称することもある。
【００６５】
サブコンテンツ記憶部２は、複数の説明情報を記憶する。
【００６６】
なお、サブコンテンツ記憶部２には、説明情報の他にシナリオが記憶されていてもよい。この場合、サブコンテンツ取得部１は説明情報とともに、サブコンテンツ記憶部２に記憶されているシナリオを取得する。
【００６７】
外部機器接続部３は、表示装置１００と外部機器２００とを接続する。外部機器２００としては、たとえばサーバ装置、ＨＤＤ（ハードディスクドライブ）またはメモリデバイス等が挙げられる。
【００６８】
なお、外部機器接続部３による外部機器２００との接続方法は、有線接続または無線接続のいずれであってもよい。また、外部機器接続部３がネットワークにより外部機器２００と接続されている場合、インターフェースとしては特に限定されるものではなく、たとえばインターネット、ＨＤＭＩ、ＩＥＥＥ１３９４（i.Link）、ＰＬＣ（電力線搬送通信）、ＵＳＢ（Ｕｎｉｖｅｒｓａｌ  Ｓｅｒｉａｌ  Ｂｕｓ）、ＩｒＳｉｍｐｌｅ（高速赤外線通信方式）、ＩｒＤＡ、ＬＡＮ、無線ＬＡＮおよびＵＷＢ等が挙げられる。
【００６９】
外部機器接続判定部４は、外部機器接続部３により表示装置１００と外部機器２００とが接続されているか否かを判定する。
【００７０】
たとえばサブコンテンツ取得部１によって取得されたシナリオに、「外部機器２００から取得されるサブコンテンツを表示する」と指示されていることがある。この場合、外部機器接続判定部４は、サブコンテンツ取得部１が外部機器２００からサブコンテンツを取得可能であるかを確認するために、外部機器接続部３の接続状態を確認する。サブコンテンツ取得部１は、判定結果に応じてサブコンテンツの取得先を選択する。
【００７１】
メインコンテンツ取得部５は、表示コンテンツを取得する。
【００７２】
本明細書においてメインコンテンツ取得部５により取得される表示コンテンツは、サブコンテンツ取得部１により取得される説明情報（サブコンテンツ）と区別するために「メインコンテンツ」と称する。メインコンテンツとしては、たとえばテレビ番組、またはネットワーク配信される映像情報等のコンテンツを含む。
【００７３】
メインコンテンツ取得部５によるメインコンテンツの取得先は、たとえば地上デジタル放送システム、メモリあるいはハードディスク等の記憶装置、ＢＤ（Blu-ray Disc（登録商標））レコーダー、またはＤＶＤレコーダーなどの外部機器２００が挙げられる。また、メインコンテンツは外部機器２００から取得されるものに限定されず、たとえば表示装置１００に予め記憶されていてもよい。
【００７４】
なお、図１に示すブロック図では、サブコンテンツ取得部１およびメインコンテンツ取得部５が同一の外部機器２００から各コンテンツを取得するように記載されている。しかしながらこれに限定されるものではなく、たとえばサブコンテンツ取得部１およびメインコンテンツ取得部５はそれぞれ別の外部機器２００から各コンテンツを取得することができる。
【００７５】
映像音声分離部６は、メインコンテンツに含まれる映像データと音声データとを分離する。つまり、メインコンテンツ取得部５によりメインコンテンツが取得されたとき、メインコンテンツには、映像データおよび音声データが、たとえばＭＰＥＧ２のトランスポートストリーム（ＴＳ）またはＭＰＥＧ２のプログラムストリーム（ＰＳ）など、映像ストリームと音声ストリームとが多重化された符号化ストリームデータにて入力される。この場合、これらの符号化ストリームデータをそれぞれ分離し、映像合成処理部８または音声処理部１０に送る。
【００７６】
なお、ここで言う映像データには、たとえば画像データまたは文字データ等の表示用のデータを含んでいてもよい。また、メインコンテンツ取得部５により取得されたメインコンテンツは必ずしも映像データおよび音声データが同期した形で含まれているとは限らず、映像データまたは音声データのどちらか一方のみが含まれていることもある。
【００７７】
また、サブコンテンツ取得部１により取得されたサブコンテンツに音声データが含まれている場合、当該サブコンテンツに含まれている画像データと音声データとを映像音声分離部６によって分離してもよい。
【００７８】
表示手順決定部７は、表示装置１００において複数の説明情報を表示する際の表示手順を決定する。
【００７９】
つまり、表示手順決定部７は、後述するモード切換部１３により動作モードがデモを実行する「デモモード」に切り換えられると、サブコンテンツ取得部１にシナリオを取得するように指示する。その後、表示手順決定部７は、取得されたシナリオに基づいて表示手順を決定し、サブコンテンツ取得部１にサブコンテンツを取得するよう指示する。
【００８０】
映像合成処理部８は、映像音声分離部６により分離された映像データを処理し、映像出力部９に送る。映像合成処理部８による処理としては、たとえば画質の調整、データ形式の復元、またはサブコンテンツおよびメインコンテンツの表示画面上における配置の調整などの処理を含む。映像合成処理部８は、このように処理した映像データを映像信号として映像出力部９に送る。なお、映像合成処理部８では、サブコンテンツに対して表示効果をつける処理をしてもよい。表示効果の詳細については、後述する。
【００８１】
映像出力部９は、映像合成処理部８から送られた映像信号を、表示手順決定部７により決定された表示手順に従い出力（表示）する。映像出力部９による画像信号の出力先としては、たとえば液晶ディスプレイ（Liquid Crystal Display）、プラズマディスプレイ（ＰＤＰ；plasma display）、またはＥＬ（エレクトロルミネセンス）ディスプレイ（Electro Luminescence Display）等の表示手段、または外部の装置が挙げられる。なお、表示手段としてはこれに限定されるものではなく、その他の薄型表示ディスプレイであってもよい。
【００８２】
音声処理部１０は、映像音声分離部６において分離された音声データを処理し、最終的に出力される音声信号にする。つまり、音声処理部１０は分離された音声データに対して、たとえば圧縮された形式の復元、周波数の調整、またはボリュームの調整などの処理を行なう。音声処理部１０は、このように音声データを処理して音声信号に変換し、音声出力部１１に送る。
【００８３】
音声出力部１１は、音声処理部１０により処理された音声信号を出力する。音声出力部１１は、たとえばスピーカを通して音声信号を出力してもよいし、外部の音声出力装置に音声信号を送ってもよい。
【００８４】
制御部１２は、表示装置１００における全体の処理を制御する。たとえば制御部１２は、映像合成処理部８に対して、メインコンテンツにサブコンテンツをどのように合成して表示するかを制御する。
【００８５】
モード切換部１３は、表示装置１００における動作モードを切り換える。
【００８６】
本明細書において動作モードとは、映像出力部９において映像（または画像）をどのように出力するかを示す各種形態であり、たとえばデモを実行する「デモモード」、またはデモを行なわない「通常モード」などが挙げられる。
【００８７】
なお、モード切換部１３による動作モードの切り換えは、たとえば表示装置１００における動作モードを設定するための画面（メニュー画面）をディスプレイに表示させて、ユーザに動作モードを設定させればよい。また、モード切換部１３は、少なくとも自装置を個別に認識する暗号化された情報が格納された記録媒体から読み出した、暗号化された情報に基づき、動作モードを切り換えてもよい。この記録媒体としては、たとえばＢ−ＣＡＳカードが挙げられる。
【００８８】
タイマー部１４は、時間を計時するためのタイマーである。
【００８９】
タイマー校正部１５は、タイマー部１４の時刻を校正する。たとえばメインコンテンツ取得部５がデジタル放送からメインコンテンツを取得した場合、当該メインコンテンツには時刻情報が重畳されているため、この時刻情報を利用してタイマー部１４の時刻を校正することができる。なお、外部からの時刻の取得方法としてはこれに限定されるものではなく、たとえば表示装置１００がＩＰネットワークにより外部機器２００と接続されている場合、ＮＴＰ等により時刻を取得することができる。
【００９０】
また、たとえば制御部１２が、タイマー部１４により保持される時刻が校正されたものであるか否かを判定することができる場合、この判定の結果によってメインコンテンツおよびサブコンテンツをどのように表示するか制御してもよい。
【００９１】
（デモ表示）
次に、表示装置１００におけるデモ表示の一例について説明する。
【００９２】
図２は、表示装置１００における一連のデモ表示の流れを示す説明図であり、図２の（ａ）〜（ｄ）は１つのシナリオにおける一連のサイクルを示す。
【００９３】
上述したように、表示装置１００では自装置の機能を表す複数の説明情報を、シナリオ（表示手順）に従って連続的に表示する。すなわち、図２の（ａ）〜（ｄ）に示すように、表示装置１００では表示するサブコンテンツの種類または表示形態をそれぞれ切り換えて、連続的に表示する。
【００９４】
具体的には、まずデモモードが開始されると、図２の（ａ）に示すようにメインコンテンツ２１にサブコンテンツ２０Ａを重ねて、ディスプレイ１６に表示する。なお、本実施形態において、ディスプレイ１６に表示されているメインコンテンツ２１は、テレビ番組である。
【００９５】
また、サブコンテンツ２０Ａは、サブコンテンツ記憶部２から取得された自装置の性能に関する情報である。ここで、表示されるサブコンテンツは、映像合成処理部８の処理によって表示効果がつけられていてもよい。
【００９６】
表示効果としては、たとえばサブコンテンツの拡大または縮小または時間とともに表示形態が変化するアニメーション効果が挙げられる。また、この他の表示効果としては、たとえば文字データのテロップ表示（縦または横に文字が流れる表示）、画像データのスライドイン、スライドアウト、パンあるいはズーム等の表示、または動画データの切り換え時におけるフェードインあるいはフェードアウトなどが挙げられる。
【００９７】
図２の（ａ）に示すサブコンテンツ２０Ａは、透過色になるように表示効果がつけられている。したがって、サブコンテンツ２０Ａの上からメインコンテンツ２１を透過して見ることができる。また、サブコンテンツ２０Ａの文字は、テロップ表示されていてもよい。サブコンテンツ２０Ａが予めシナリオにおいて設定された時間分表示されると、次のサブコンテンツ２０Ｂに切り換えられる。
【００９８】
図２の（ｂ）は、図２の（ａ）に示すサブコンテンツ２０Ａとは別のサブコンテンツ２０Ｂを表示したところを示す。このとき、サブコンテンツ２０Ｂは、サブコンテンツ２０Ａとは別の表示装置１００の性能を表す情報を示す。
【００９９】
次に、図２の（ｂ）に示す表示が終了した後、今度は２つの異なるサブコンテンツ２０Ｃを表示している（図２の（ｃ））。このとき、サブコンテンツ２０Ｃはそれぞれ異なる大きさで表示されており、１つは表示装置１００の最新の省エネ技術を表す情報を示し、もう１つはこの最新の省エネ技術を実際に行なっている情報を表示する。このデモが終了すると、図２の（ｄ）に示すように、サブコンテンツの表示を停止し、メインコンテンツのみを表示させる。これにより、シナリオに示される１サイクルのデモモードが終了する。
【０１００】
このように、表示装置１００では、１つのシナリオにおいて複数のサブコンテンツを連続的に表示させることができるので、表示装置１００を視聴するユーザに対して、効果的にデモを行なうことができる。
【０１０１】
なお、表示装置１００において用いられるシナリオは、サブコンテンツ記憶部２に記憶されているシナリオであってもよいが、図３に示すように外部機器２００から取得可能であることが好ましい。図３は、表示装置１００のサブコンテンツ記憶部２または外部機器２００からの説明情報の取得を示す説明図である。
【０１０２】
これにより、表示装置１００内部のプログラムを変更することなく、シナリオの内容を変更することができる。また、使用するシナリオは、たとえば時間帯または曜日等によって変えてもよい。
【０１０３】
（シナリオ）
ここで、本実施形態に係る表示装置１００において使用するシナリオの一例を図４，５に示す。なお、図４，５に示すシナリオは説明の便宜のために簡易的に記載しているが、これに限定されるものではなく、他のどのような形式であってもよい。
【０１０４】
図４は、本発明の一実施形態に係る表示装置において使用するシナリオ２２の一例を示す図である。また、図５は図４に示すシナリオ２２を時間軸に沿って示す図であり、図５の（ａ）は外部機器と接続されている場合のデモンストレーションの流れを示し、図５の（ｂ）は外部機器と接続されていない場合のデモンストレーションの流れを示す。
【０１０５】
なお、図４および図５において、シナリオ２２に記載されている各シナリオをそれぞれ「シナリオＡ」または「シナリオＢ」等と表し、表示されるサブコンテンツをそれぞれ「サブコンテンツＡ１」または「サブコンテンツＡ２」等と表す。
【０１０６】
図４に示すように、シナリオ２２に記載されている「シナリオＡ」では、毎時５分からデモを開始し、当該シナリオを４回繰り返すことが指示されている。
【０１０７】
具体的には、シナリオＡを実行する表示装置１００では、動作モードが「デモモード」に切り換えられると、まずサブコンテンツＡ１を３０秒間表示する。次に、サブコンテンツＡ１の表示が終了すると、サブコンテンツＡ２を１分間表示する。その後、外部機器２００からサブコンテンツを取得するという指示に従い、外部機器接続判定部４が外部機器２００との接続を確認する。
【０１０８】
この結果、外部機器接続部３が外部機器２００と接続されていると判定された場合、サブコンテンツ取得部１は外部機器２００からサブコンテンツを取得する。このとき、サブコンテンツ取得部１は、シナリオＡとは別のシナリオである「シナリオＢ」を取得してもよい。
【０１０９】
図４に示すようにシナリオＢでは、まずサブコンテンツＢを表示させ、次に別の外部機器２００’から取得されるサブコンテンツＣを表示する。なお、表示装置１００と外部機器２００’とが接続されていない場合、サブコンテンツＣの代わりにサブコンテンツＢを繰り返し表示する。表示装置１００では、このように取得されたシナリオＢに従ってデモを続行することができる。このシナリオ２２の一連の流れを図５の（ａ）に示す。
【０１１０】
なお、シナリオにおける平面方向のレイアウトまたは時間方向のコンテンツ切り換えを記述できる言語としては、たとえばＳＭＩＬ（Synchronized Multimedia Integration Language）等がある。また、この他にも、ＳＶＧ（Scalable Vector Graphics）などの表現でもシナリオを書くことができる。
【０１１１】
一方、外部機器接続部３が外部機器２００と接続されていないと判定された場合、サブコンテンツ取得部１は代替処理としてサブコンテンツ記憶部２からサブコンテンツＡ３を取得する。取得されたサブコンテンツＡ３を３分間表示すると、サブコンテンツを表示させずにメインコンテンツのみを５分間表示し、再びシナリオの初めから繰り返す。このシナリオ２２の一連の流れを図５の（ｂ）に示す。
【０１１２】
このように、表示装置１００では、複数のサブコンテンツを表示させる順序および表示期間がシナリオによって管理される。
【０１１３】
（表示装置１００の動作）
次に、表示装置１００の動作について図６を参照して説明する。
【０１１４】
図６は、本実施形態に係る表示装置１００におけるデモ実行フローを示すフローチャートである。
【０１１５】
表示装置１００では、まず、制御部１２がデモを開始するかどうか、すなわち説明情報を表示するか否かを、モード切換部１３による動作モードの切り換えに応じて判定する（ステップＳ１）。たとえばユーザによるメニュー操作によってデモを開始するようなモードに設定されたとき等、デモ動作へ移行する条件を満たしている場合に、制御部１２はデモモードを開始させる。
【０１１６】
また、上述したように、表示装置１００に挿入されるＢ−ＣＡＳカードの種類による判別によって、動作モードを切り換えてもよい。
【０１１７】
たとえば国内のデジタル放送は、Ｂ−ＣＡＳカードによって受信機の認証を行なっている。店頭においては、家庭用のＢ−ＣＡＳカードとは異なる、店頭用のＢ−ＣＡＳカードが挿入されていることが多い。したがって、表示装置１００に店頭用のＢ−ＣＡＳが挿入されているか、またはその他のＢ−ＣＡＳカードが挿入されているかを判別し、動作モードを切り換えてもよい。
【０１１８】
一方、デモ動作へ移行する条件を満たしていない場合、制御部１２は、通常視聴モード、すなわちメインコンテンツのみを表示するモードであると判定し、デモを実行しない。
【０１１９】
次に、デモモードに移行された場合、サブコンテンツ取得部１はサブコンテンツ記憶部２に記憶されているシナリオおよびサブコンテンツを取得する（ステップＳ２）。
【０１２０】
サブコンテンツ取得部１により取得されたシナリオは、表示手順決定部７により解析される。これにより、外部機器２００との接続状態を判定する必要があるか否か、つまりシナリオに、外部機器２００からサブコンテンツを取得すると指示されているかどうかが解析される（ステップＳ３）。
【０１２１】
解析の結果、たとえばネットワーク接続など、外部機器２００との接続を必要とする場合、外部機器接続判定部４が接続状態を確認する（ステップＳ４）。一方、外部機器２００との接続が不要な場合、後述するステップＳ７に移行し、映像出力部９によりサブコンテンツが表示される。
【０１２２】
次に、外部機器接続判定部４の判定により、たとえばネットワークへの接続が確認された場合、サブコンテンツ取得部１は外部機器２００からサブコンテンツを取得する（ステップＳ５）。外部機器２００としては特に限定されるものではなく、たとえばサーバ装置、ＨＤＤまたはメモリデバイス等からサブコンテンツを取得すればよい。
【０１２３】
一方、外部機器接続判定部４の判定により、外部機器２００との接続が確認されない場合、サブコンテンツ取得部１は、サブコンテンツ記憶部２に記憶された別のサブコンテンツを代替コンテンツとして取得する（ステップＳ６）。
【０１２４】
その後、表示装置１００は、サブコンテンツ取得部１により取得されたシナリオに従い、デモを実行する（ステップＳ７）。なお、デモの実行時間を設定する場合、タイマー部１４およびタイマー校正部１５が時間を管理する。
【０１２５】
１つのサブコンテンツの表示が終了すると、制御部１２はシナリオを参照して、別のサブコンテンツを表示させるか否かを判定する（ステップＳ８）。その結果、現在表示しているサブコンテンツにてデモ動作を終了する場合、通常視聴モード、すなわちメインコンテンツのみを表示させるモードへ移行し、デモを終了する。
【０１２６】
一方、別のサブコンテンツを表示する、または現在表示しているサブコンテンツを繰り返して表示する必要がある場合には、ステップＳ２へ戻り、再度処理する。
【０１２７】
（サブコンテンツの合成）
図７は、メインコンテンツおよびサブコンテンツを動作モードに応じた形態で示す説明図であり、図８は、メインコンテンツおよびサブコンテンツを時間軸に沿って動作モードに応じた形態で示す説明図である。
【０１２８】
上述したように、表示装置１００では、メインコンテンツおよびサブコンテンツを表示させる際の配置を調整することができる。つまり、映像合成処理部８は映像音声分離部６において分離された映像データを受け取ると、メインコンテンツおよびサブコンテンツを最終的な表示画面とするとき、制御部１２の制御に基づいて配置を調整する。
【０１２９】
たとえば、図７の（ａ）に示すように、メインコンテンツ２１を大画面表示させ、サブコンテンツ２０をメインコンテンツ２１の上に重ねて小さく表示させてもよい。また、図７の（ｂ）に示すように、メインコンテンツ２１およびサブコンテンツ２０を重ねず、横に並べて表示させてもよい。また、図７の（ｃ）に示すように、サブコンテンツ２０を大画面表示させ、メインコンテンツ２１をサブコンテンツ２０の上に重ねて小さく表示させてもよい。
【０１３０】
また、これらの表示を、図８に示すようにシナリオに従って連続的に表示させてもよい。すなわち、まずメインコンテンツ２１またはサブコンテンツ２０のみを表示させ、次に大画面のメインコンテンツ２１に小画面のサブコンテンツ２０を重ねて表示させてもよい。なお、このとき大画面のサブコンテンツ２０と小画面のサブコンテンツ２０とは、異なる内容のサブコンテンツを表示することができる。
【０１３１】
（チャンネル切り換え時における動作）
図９は、表示装置１００におけるデモモード時の表示画面を示す図である。また、図１０は、図９に示す表示画面からチャンネルを切り換えたときの様子を示す図であり、図１０の（ａ）はチャンネル切り換え時にデモ表示を一時停止させたところを示し、図１０の（ｂ）はチャンネル切り換え時にデモを継続させたところを示す。
【０１３２】
本実施形態に係る表示装置１００において、シナリオを実行している最中に制御指示がなされた場合の挙動は、以下の場合がある。なお、図９および図１０に示す例では、ディスプレイ１６に表示されているメインコンテンツ２１がテレビ番組であることが意図される。
【０１３３】
図９に示すディスプレイ１６には、「１０チャンネル」のテレビ番組が表示されている。このとき、たとえばユーザがチャンネルを「６チャンネル」に換える操作をすると、画面上に指定されたチャンネルを示す文字（チャンネルコール）２３が表示される。
【０１３４】
この場合、図１０の（ａ）に示すように、チャンネルコール２３を表示するときはデモを一時停止させ、サブコンテンツ２０の表示を中断させてもよいし、図１０の（ｂ）に示すように、サブコンテンツ２０の表示を中断せず、サブコンテンツ２０の上にチャンネルコール２３を表示させてもよい。なお、特定の制御指示でない限り、チャンネル切り換え指示を受けつけないように設定してもよい。
【０１３５】
また、たとえばサブコンテンツ２０の種類に応じて、チャンネル切り換え時の動作を制御してもよい。たとえば、サブコンテンツ取得部１が取得したサブコンテンツ２０が、ネットワークを介して取得した映画であるとき、映画の表示とテレビ番組のチャンネル切り換え操作とを同時にすることができない。この場合、デモを一時停止させ、サブコンテンツ２０の表示を中断させるか、またはチャンネル切り換えの制御を受けつけずにサブコンテンツ２０の表示を継続させる。
【０１３６】
これに対し、サブコンテンツ２０が文字のテロップ表示である場合、サブコンテンツ２０を表示させたままチャンネルを切り換えることができる。
【０１３７】
（音声による説明情報の出力）
図１１は、メインコンテンツおよびサブコンテンツの音量を時間軸に沿って動作モードに応じた形態で示す説明図である。なお、図１１において縦軸は音量レベルであり、横軸は時間を示す。
【０１３８】
上述したように、サブコンテンツには音声データが含まれていることがあるため、サブコンテンツの音声をメインコンテンツの音声に重畳させて出力してもよい。この場合、たとえばシナリオに従って、映像出力と連動させて各コンテンツの音量を変えてもよい。
【０１３９】
つまり、シナリオに「メインコンテンツのみを出力する」と指示されている区間では、メインコンテンツの音声３０のみを出力し、「サブコンテンツを出力する」と指示されている区間では、メインコンテンツの音声３０に併せてサブコンテンツの音声３１を出力することができる。
【０１４０】
このとき、メインコンテンツの音声３０のみが出力されているときの音量と近いレベルになるように制御することが好ましい。そのため、サブコンテンツの音声３１を出力する場合は、メインコンテンツの音声３０の音量レベルを下げればよい。
【０１４１】
（複数の表示装置１００におけるデモ表示）
図１２は、複数の表示装置１００を接続して、デモを連動表示させるところを示す図である。
【０１４２】
本実施形態に係る表示装置１００は、別の表示装置１００と接続して、デモを同時に表示させることができる。すなわち、図１２に示すように、３つの表示装置１００Ａ、１００Ｂおよび１００Ｃを接続して、同じ内容のサブコンテンツ２０を同時に表示させることができる。
【０１４３】
また、これらの表示装置１００において表示させるサブコンテンツ２０は同一のサブコンテンツ２０に限定されるものではなく、それぞれ別のサブコンテンツ２０を表示させてデモを行なってもよい。たとえば表示装置１００Ａでは自装置の機能全体を説明するデモを行ない、表示装置１００Ｂでは表示装置１００の全体説明にある「機能１」に関する詳細なデモを行ない、また表示装置１００Ｂでは表示装置１００Ａの全体説明にある「機能２」に関する詳細なデモを行なうことができる。
【０１４４】
このように、複数の表示装置１００を接続して同時にデモを開始することにより、たとえば店頭において表示装置１００のデモを実施する際、１つの表示装置１００においてデモを実施するときよりも、ユーザの注目度を上げることができる。したがって、製品の機能をより効果的にユーザに伝えることができる。
【０１４５】
複数の表示装置１００を接続する方法としては特に限定されるものではなく、たとえばネットワークまたはＵＳＢ等により接続すればよい。
【０１４６】
また、複数の表示装置１００において同時にデモを開始するタイミングは、たとえばタイマー部１４による時間制御、または外部機器２００から取得されるネットワークにおける制御等により制御されればよい。
【０１４７】
なお、本実施形態に係る表示装置１００は、たとえばＢＤレコーダーを内蔵していてもよい。このようにＢＤレコーダーを内蔵することにより、当該ＢＤレコーダーに関する説明情報など、対応するデモを実行してもよい。
【０１４８】
また、本実施形態に係る表示装置１００は、放送波を受信する放送波受信手段（図示せず）をさらに備えたテレビであってもよい。この場合、映像出力部９は、受信した放送波から取得されるテレビ番組（表示コンテンツ）を表示する。
【０１４９】
これにより、表示装置１００では、放送波から取得されるテレビ番組と、自装置の機能を表す複数の説明情報とを組み合わせて表示する。したがって、ユーザはテレビ番組を視聴しながら、デモ表示を見ることができる。
【０１５０】
（プログラムおよび記録媒体）
最後に、表示装置１００に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１５１】
すなわち、表示装置１００は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０１５２】
この構成により、本発明の目的は、所定の記録媒体によっても、達成できる。この記録媒体は、上述した機能を実現するソフトウェアである表示装置１００の制御プログラムのプログラムコード（実行形式プログラム、中間コードプログラム、ソースプログラム）をコンピュータで読み取り可能に記録していればよい。表示装置１００にこの記録媒体を供給する。これにより、コンピュータとしての表示装置１００（またはＣＰＵやＭＰＵ）が、供給された記録媒体に記録されているプログラムコードを読み出し、実行すればよい。
【０１５３】
プログラムコードを表示装置１００に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１５４】
また、表示装置１００を、通信ネットワークと接続可能に構成しても、本発明の目的を達成できる。この場合、上記のプログラムコードを、通信ネットワークを介して表示装置１００に供給する。この通信ネットワークは、表示装置１００にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１５５】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５７】
本発明は、たとえば液晶ディスプレイ、プラズマディスプレイまたはＥＬディスプレイなどの薄型表示ディスプレイに自装置の機能を説明するためのデモンストレーションを表示させる表示装置に利用することが可能であり、たとえば液晶テレビまたはＢＤ内蔵テレビ等に利用することができる。
【符号の説明】
【０１５８】
１      サブコンテンツ取得部（取得手段）
２      サブコンテンツ記憶部（記憶手段）
３      外部機器接続部（接続手段）
４      外部機器接続判定部
５      メインコンテンツ取得部（コンテンツ取得手段）
６      映像音声分離部
７      表示手順決定部（決定手段）
８      映像合成処理部
９      映像出力部（表示手段）
１０    音声処理部
１１    音声出力部（音声出力手段）
１２    制御部
１３    モード切換部（切換手段）
１４    タイマー部
１５    タイマー校正部
１００  表示装置
【図１】
2010258909.tif 000003
【図２】
2010258909.tif 000004
【図３】
2010258909.tif 000005
【図４】
2010258909.tif 000006
【図５】
2010258909.tif 000007
【図６】
2010258909.tif 000008
【図７】
2010258909.tif 000009
【図８】
2010258909.tif 000010
【図９】
2010258909.tif 000011
【図１０】
2010258909.tif 000012
【図１１】
2010258909.tif 000013
【図１２】
2010258909.tif 000014